(57)【要約】【課題】【解決手段】パッケージ組立体は、個別の細長い消費者向け製品を含む。パッケージ組立体は、並べた配列に配置された複数の製品を含む。パッケージハウジングは、製品の配列を支持する。パッケージハウジングは、後壁及び折り畳み可能な前壁を有している。前壁は、製品の配列をパッケージハウジング内に解放可能に接着剤にて保持すべく該前壁に沿って接着剤固定部を含む。
2007537103.tif 000002
【特許請求の範囲】
【請求項１】
個々の細長い消費者向け製品に対するパッケージ組立体において、
横に並んだ配列に配置された複数の前記製品と、
前記製品の配列を支持するパッケージハウジングであって、後壁及び折り畳み可能な前壁を有し、前記前壁は、前記製品の配列を前記パッケージハウジング内にて接着剤により解放可能に保持するため該前壁に沿って接着剤固定部を有する、パッケージ組立体。
【請求項２】
請求項１に記載のパッケージ組立体において、前記接着剤固定部は、前記製品の配列を渡って伸びる第一の長手方向接着剤片である、パッケージ組立体。
【請求項３】
請求項２に記載のパッケージ組立体において、前記第一の接着剤片は、前記製品と係合している、パッケージ組立体。
【請求項４】
請求項２に記載のパッケージ組立体において、前記製品の配列を取り囲み、前記製品を除去可能な摩擦保持状態に保持する帯状部を更に有する、パッケージ組立体。
【請求項５】
請求項４に記載のパッケージ組立体において、前記第一の接着剤片は、前記帯状部を前記パッケージハウジング内にて接着剤により支持し得るよう前記帯状部と係合している、パッケージ組立体。
【請求項６】
請求項４に記載のパッケージ組立体において、パッケージハウジングの前記後壁は、該後壁に沿って第二の接着剤片を有する、パッケージ組立体。
【請求項７】
請求項６に記載のパッケージ組立体において、前記第二の接着剤片は、前記製品を内部に接着剤にて保持し得るよう前記帯状部から伸びる前記製品の配列と係合可能である、パッケージ組立体。
【請求項８】
請求項６に記載のパッケージ組立体において、前記第二の接着剤片は、前記帯状部を前記パッケージハウジング内にて支持し得るよう前記帯状部と係合可能である、パッケージ組立体。
【請求項９】
請求項６に記載のパッケージ組立体において、前記第二の接着剤片は、前記帯状部から伸びる前記製品及び前記帯状部と相互に係合可能である、パッケージ組立体。
【請求項１０】
請求項４に記載のパッケージ組立体において、前記帯状部は、Ｕ字形ポーチの形態をしており、該ポーチは前記配列の前記製品の端部を支持する、パッケージ組立体。
【請求項１１】
請求項４に記載のパッケージ組立体において、前記帯状部は、紙、フォイル及びそれらの組み合わせを含む、材料から形成される、パッケージ組立体。
【請求項１２】
請求項１に記載のパッケージ組立体において、前記接着剤固定部は、解放可能な接着剤を含む、パッケージ組立体。
【請求項１３】
請求項１２に記載のパッケージ組立体において、前記解放可能な接着剤はワックスである、パッケージ組立体。
【請求項１４】
請求項２に記載のパッケージ組立体において、前記第一の接着剤片は、前記帯状部及び該帯状部から伸びる前記製品と相互に係合可能である、パッケージ組立体。
【発明の詳細な説明】
【技術分野】
【０００１】
本発明は、全体として、消費者向け製品の配列を保持し且つ個々の製品を分与することが望まれるようなとき迄、製品をパッケージ体内に保持するパッケージ体に関する。より具体的には、本発明は、接着剤にて固定する部分を使用してガムスラブを保持し且つ分与するパッケージ体に関する。
【背景技術】
【０００２】
ガムスラブのような消費者向け製品をパッケージ体又はハウジング内に収容し、該パッケージ体又はハウジングはガムスラブを保持し且つ個々のスラブを分与することを許容するようにすることが周知である。ガムスラブは、典型的に、配列にて配置され、単一のガムスラブを配列から除去してパッケージ体内に残りのガムスラブを残すことができる。ガムスラブは、個々に外側包装紙にて包まれることがしばしばである。
【発明の開示】
【発明が解決しようとする課題】
【０００３】
ガムスラブパッケージ体の特定のものは、ガムスラブの１つを除去した後でさえ、その外部形態を維持する型式のものである。このことは、隣接するガムスラブを変位させることを許容する空間をパッケージ体内部に形成することになる。このため、残るガムスラブの１つ又はより多くがパッケージ体内にて傾き又は倒れかかっても、追加のガムスラブをパッケージ体から除去することは困難となる。また、かかる空間を形成することにより、残るガムスラブは、パッケージ体内にて摺動し又は動き、また、パッケージ体から倒れかかることさえもある。
【０００４】
個々のガムスラブを保持し且つ１つのパッケージ体から分与する１つの試みは、その開示内容を全ての目的のため、参考として引用し本明細書に含めた、コペッキィ（Ｋｏｐｅｃｋｙ）に対する米国特許出願公告明細書２００３／００８００２０号に示されている。コペッキィの公報には、全体として矩形の形態を有するダイカットした板紙ブランクから形成されたガムスラブのパッケージハウジングが開示されている。該ハウジングは、開いて複数のガムスラブを露出させる前側カバーを有している。ガムスラブは、ガムスラブの回りに巻かれるシートにより横に並んだ配列にて保持されている。ガムスラブの配列を含むシートは、パッケージのハウジング内に配置され、このため、前側カバーが開いたとき、ガムスラブは露出する。ガムスラブを直立の状態に保持し且つガムスラブをパッケージ体内に維持するため、１つ又はより多くのスラブが配列から除去されても、ガムスラブはシートに接着剤にて固定されている。接着剤による固定は、シートの内面にてワックス領域の形態をとることができる。包んだスラブがシート内に挿入されたとき、シートに熱を加えてワックスを溶融させる。次に、保持し且つ分与するため、シートに固定されたガムスラブの配列をパッケージ体内に配置することができる。
【０００５】
コペッキィの公報に開示された装置は、ガムスラブを保持し且つ分与することの双方を許容するパッケージ体を提供しようと試みるものであるが、パッケージ体は長期間に渡って十分に機能し得ないことが判明している。従って、個々のガムスラブを保持し且つ分与することを許容すると共に、１つ又はより多くのガムスラブが除去されたとき、パッケージ体内に残りのガムスラブを保持する、改良されたガムスラブパッケージ体を提供することが望ましい。
【課題を解決するための手段】
【０００６】
本発明は、個々の細長い消費者向け製品、好ましくは、ガムスラブに対するパッケージ組立体を提供するものである。組立体は、横に並んだ配列に配置された複数の製品を含む。パッケージハウジングは、製品の配列を支持する。パッケージハウジングは、後壁及び折り畳み可能な前壁を有している。前壁は、製品をパッケージハウジング内にて接着剤によって保持するため該前壁に沿って接着剤固定部を有する。
【０００７】
１つの好ましい実施の形態において、接着剤固定部は、配列を渡って伸びる長手方向片である。
本発明のパッケージ組立体は、製品の配列を取り囲む帯状部を有することもできる。該帯状部は、製品を除去可能な摩擦保持状態にて保持する。接着剤固定部は、帯状部をパッケージハウジング内にて接着剤によって支持するため帯状部と係合することができる。
【０００８】
パッケージハウジングは、また、その後壁に沿って接着剤片を含むこともできる。後壁に沿った接着剤片は、製品と係合するような位置に配置することができる。
【発明を実施するための最良の形態】
【０００９】
本発明は、複数の消費者向け製品をパッケージハウジング内に保持するパッケージ組立体に関する。パッケージハウジングは、開いて１つ又はより多くの製品を該ハウジングから分与することを許容し、また、再度閉鎖して製品をその内部に保持し且つ維持することができる。本発明は、多岐に亙る消費者向け製品に対して有用であるが、本発明は、横に並べた配列にて配置された細長いガムスラブに対して特に有用である。
【００１０】
この型式の消費者向け製品パッケージは、「菓子パッケージングデザイン（Ｃｏｎｆｅｃｔｉｏｎｅｒｙ  Ｐａｃｋａｇｉｎｇ  Ｄｅｓｉｇｎ）」という名称にて、２００４年７月１日付けで出願された同時に譲渡した米国特許出願明細書１０／８３３，４６８号、「２つの別個の区画室を有するガムパッケージのデザイン（Ｇｕｍ  Ｐａｃｋａｇｅ  Ｄｅｓｉｇｎ  ｗｉｔｈ  Ｔｗｏ  Ｓｅｐａｒａｔｅ  Ｃｏｍｐａｒｔｍｅｎｔｓ）」という名称にて２００４年１２月２２日付けで出願された米国特許出願明細書１１／０２５，７３９号に開示されており、この双方の特許出願の明細書は、全ての目的のため参考として引用し本明細書に含めてある。
【００１１】
更に、本発明は、「挿入可能な製品保持部材を有するガムスラブパッケージ体（Ｇｕｍ  Ｓｌａｂ  Ｐａｃｋａｇｅ  Ｈａｖｉｎｇ  Ｉｎｓｅｒｔａｂｌｅ  Ｐｒｏｄｕｃｔ  Ｒｅｔｅｎｔｉｏｎ  Ｍｅｍｂｅｒ）」という名称にて同一日に出願され且つ代理人事件番号１４２１−１８として識別される、同時に譲渡した米国特許出願明細書 号、また、「フラップ保持機能を備えるガムスラブパッケージ体（Ｇｕｍ  Ｓｌａｂ  Ｐａｃｋａｇｅ  Ｗｉｔｈ  Ｆｌａｐ  Ｒｅｔｅｎｔｉｏｎ）」という名称にて同一日に出願され且つ代理人事件番号１４２１−２９として識別される、米国特許出願明細書 号に開示されており、その双方は、全ての目的のため参考として引用し本明細書に含めてある。
【００１２】
次に、図１及び図２を参照すると、本発明は、ガムスラブ１４の配列１２をその内部にて支持するパッケージング組立体１０を提供する。ガムスラブ１４は、個別に各ガムスラブの回りの包装紙（図２に図示せず）を選択的に含むことができる、典型的に細長い矩形形状の部材である。ガムスラブは、横に並べた状態に配置されて配列１２を形成する。ガムスラブ１４は、パッケージハウジング１６内にて配列内に支持される。パッケージハウジング１６は、前壁１８と、対向した後壁２０と、底部壁２２と、対向した側壁２４、２６とを有している。以下に更に詳細に説明するように、パッケージハウジングは、周知の仕方にて折り畳まれて図１及び図２に示した形態を形成するダイカットした板紙から形成される。パッケージハウジング１６は、折り畳まれて、該パッケージハウジングは分与開口部を画成する開放した上端２８を提供する。後壁２０は、上方に伸びる折畳み可能なカバー３０を有しており、該カバー３０は、開放した上端の上方にて折り畳み、開口部を閉じ且つスラブ１４をパッケージハウジング１６内に収容することができる。前壁１８に設けられたスリット３２は、再度閉鎖する目的のため、カバー３０の末端縁３４をその内部に挿入することを許容する。更に、パッケージには、図１に示した状態にて前壁１８に接着剤にて固定されるカバー３０を設けることが考えられる。接着剤による固定部が第一のガムスラブを分与すべく除去されたとき、フラップは、該カバーをスリット３２内に挿入することにより、再度閉鎖することができる。
【００１３】
パッケージハウジング１６は、また輸送する間及び販売し且つ使用する前に、パッケージを取り囲み且つ保護するプラスチックラップ（図示せず）により覆うことも可能であると考えられる。
【００１４】
以下に更に詳細に説明するように、スラブ１４の配列１２は、パッケージハウジング１６内にて除去可能に保持する状態に支持し、ガムスラブの残りをパッケージハウジング内に維持しつつ、１つ以上のガムスラブを容易に除去することを許容するようにすることも考えられる。更に、スラブ１４をパッケージハウジング内に解放可能に支持する技術は、隣接するガムスラブの１つ又はより多くを除去した後でさえ、スラブ１４がハウジング内にてその位置を維持することを許容し、ガムスラブがパッケージ体内にて傾き又は倒れかかり又はパッケージ体から落ちるのを防止するようにすることも考えられる。
【００１５】
次に、図３及び図４を参照すると、本発明の１つの好ましい実施の形態が示されている。当該好ましい実施の形態に関して、当該実施の形態を表示するため図１及び図２の参照番号に１００を加えて同様の参照番号は、同様の要素を表示する。
【００１６】
図３には、その予め組み立てた状態にあるパッケージ組立体１１０のパッケージハウジング１１６が示されている。該パッケージハウジング１１６は、ダイカットした板紙の形態から形成され、また、図３に示したその平坦な形態から図１及び図２に示した形態に折り畳むことができる平坦な形態にて提供される。パッケージハウジング１１６は、後壁１２０と、折畳み可能な前壁１１８と、折畳み可能な側壁１２４、１２６と、折畳み可能なカバー１３０とを有することが示されている。
【００１７】
図４に特に示すように、パッケージ組立体１１０は、パッケージハウジング１１６内に支持されたガムスラブ１１４の配列１１２を有している。ガムスラブ１１４は、帯状部１３１内に更に保持されている。帯状部１３１は、紙、フォイル又はそれらの組み合わせを含む、多岐に亙る材料にて形成することができる。
【００１８】
当該一例としての実施の形態において、帯状部１３１は、対向した前壁及び後壁と、側壁と、底部壁とを有するポーチ又はＵ字形の形態に形成される。ガムスラブ１１４の配列１１２は、その整合した他端がＵ字形の帯状部内に保持された状態にて帯状部内に配置される。Ｕ字形の帯状部が図示されているが、その他の形態が採用可能である。
【００１９】
図３を再度参照すると、後壁１２０は、該後壁を渡って配置された長手方向接着剤壁片１２５の形態をした接着剤固定部を有する。壁片１２５は、後壁１２０を渡って伸びてガムスラブ１１４の配列１１２と係合して該配列に接着剤によって固定することができる。壁片１２５は、後壁１２０の上側部分に隣接する位置に配置され、その上端に沿ってスラブ１１４と係合することが好ましい。接着剤固定部に対して提供された接着剤は、スラブ１１４を保持可能に支持するが、ガムスラブの除去を許容し得るよう容易に引き剥ぐことのできる解放可能な接着剤とすることが考えられる。ワックスは周知の解放可能な接着剤である。
【００２０】
更に、前側の折畳み可能なカバー１１８は、接着剤フラップ片１２７により画成された接着剤固定部を有することもできる。フラップ片は、前壁１１８が図２に示すような仕方にて折り畳まれたときに、フラップ片１２７がＵ字形帯状部１３１内にてガムスラブ１１４と係合可能なような位置に配置される。この場合にも、フラップ片１２７はカバーを渡って横方向に伸びてガムスラブ１１４の配列１１２を渡って相互に係合し得るようにする。フラップ片１２７の配置位置及び幅は片が帯状部１３１に係合せずに単独にて帯状部１３１から伸びる個別のガムスラブ１１４と係合し又はガムスラブと係合せずに単独にて帯状部１３１と係合するような位置に配置し又は更なる代替例において、帯状部１３１及びガムスラブ１１４の双方と同時に相互に係合するのに十分な幅であるようにすることもできると考えられる。
【００２１】
更に、図１に破線にて示すように、接着剤壁片１２５ａはガムスラブ１１４及び帯状部１３１の双方と同時に係合するような位置に配置し且つ十分な幅であるようにすることができる。
【００２２】
接着剤片１２５、１２７を独立的に使用する結果、ガムスラブ１１４の配列１１２をパッケージハウジング１１６内にて保持し且つ該パッケージハウジングから個別に除去することを許容することになる。
【００２３】
接着剤はガムスラブを容易に除去することを許容する解放可能な接着剤である一方、接着剤保持部は、隣接するガムスラブが除去されたときでさえ、残るガムスラブは傾かず又はパッケージ体から転倒する傾向がないようなものとする。
【００２４】
次に、図５を参照すると、本発明の更なる実施の形態が示されている。当該実施の形態に関して、当該実施の形態を表示するため、図１及び図２の参照番号に２００を加えて、同様の参照番号は同様の要素を表示する。
【００２５】
図５には、その予め組み立てた状態にあるパッケージハウジング２１６のパッケージ組立体２１０が示されている。パッケージハウジング２１６は、ダイカットした板紙の形態から形成されており、該板紙は、図５に示したその平坦な形態から図１及び図２に示した形態に折り畳むことができる。パッケージハウジング２１６は、後壁２２０と、折畳み可能な前壁２１８と、折畳み可能な側壁２２４、２２６と、折畳み可能なカバー２３０とを有することが示されている。
【００２６】
パッケージハウジング２１６は、ガムスラブ２１４の配列２１２を後壁２２０の内面に対して支持する。当該一例としての実施の形態において、ガムスラブは包まず又は包装紙にて個別に包むことができる。ガムスラブ２１４は、接着剤にて固定する有利な効果を伴わずに後壁２２０の内面に対して支持される。前壁２１８は、該前壁に沿って長手方向接着剤片２２７の形態をした接着剤固定部を有する。予め組み立てたハウジングを図２の形態となるように組み立て、また、前壁２１８を折り畳んだとき、接着剤片２２７は、該接着剤片を横方向に渡ってガムスラブと接着剤によって接触する。
【００２７】
接着剤固定部を形成する接着剤は解放可能な接着剤であるため、この接着剤は個別のガムスラブをパッケージハウジング２１６との除去可能な保持係合状態を許容する。かかる解放可能な保持は、隣接するガムスラブを除去した後でさえ、ガムスラブを所要位置に保持しつつ、ガムスラブをパッケージ体から個別に除去することを許容する。
【００２８】
図５の実施の形態は、前壁２１８に単一の接着剤の位置を採用し、また、ガムスラブ２１４の配列２１２を支持する帯状部（図３）を必要とせずに、接着剤にて保持することを実現する。
【００２９】
好ましい実施の形態について説明したが、本発明の考えられる範囲から逸脱せずに、変更例が具体化可能であることを理解すべきである。従って、本明細書に記載した好ましい実施の形態は、制限的ではなく、一例と見なすべきであり、本発明の真の範囲は特許請求の範囲に記載されている。
【図面の簡単な説明】
【００３０】
【図１】閉鎖した状態にて示した本発明のパッケージ組立体を示す斜視図である。
【図２】その内部に製品の配列が支持された、開いた状態に示した図１のパッケージ組立体の斜視図である。
【図３】その予め組み立てた位置にある、図１のパッケージ組立体のパッケージハウジングを示す図である。
【図４】その内部に製品の配列が支持された、図３のパッケージハウジングを示す図である。
【図５】その内部に製品の配列を有する、その予め組み立てた状態にある図１のパッケージハウジングの別の実施の形態を示す図である。
【図１】
2007537103.tif 000003
【図２】
2007537103.tif 000004
【図３】
2007537103.tif 000005
【図４】
2007537103.tif 000006
【図５】
2007537103.tif 000007
【国際調査報告】
2007537103.tif 000008
2007537103.tif 000009
2007537103.tif 000010